(57)【要約】【課題】  簡易的ワイヤレスイヤホンを実現する無線通信端末装置の音声出力方法を提供する。【解決手段】  携帯電話端末やＰＨＳ端末など、使用者が移動を行いつつも第２者との間で通話を行うことができる無線端末装置（以下端末と称する）において、かつＴＶチューナ部１１４を搭載しており、ＴＶ放送局からのデータを受信することによってＴＶを視聴することが可能で、さらに赤外線リモコンデータ送信部１１０を有しており、従来のＴＶリモコン装置の代替として家庭用ＴＶのチャネル操作、音量操作などの設定についての遠隔操作が可能な機能（以下ＴＶリモコン機能と称する）を有する端末について、使用者側で本端末が有する赤外線通信機能端末を使用してＴＶのチャネル操作を行った際に、ＴＶ側の音声出力を停止して端末側のレシーバ１０９側から該当チャネルの音声を出力させる。【選択図】  図１
2005080022.tif 000002
【特許請求の範囲】
【請求項１】
ＴＶチューナを内蔵しており、端末上からＴＶ放送を視聴することが可能であり、かつ赤外線通信機能を内蔵し、通常のＴＶリモコンの代替として端末よりＴＶをリモコン操作可能な無線通信端末装置の音声出力方法であって、
端末をＴＶリモコンとして使用していた際に、ＴＶのチャネルデータを赤外線送信してＴＶの切替えを行うチャネル切替え工程と、
前記チャネル切替え工程に連動して、ＴＶチューナを作動するＴＶチューナ作動工程とを有することを特徴とする無線通信端末装置の音声出力方法。
【請求項２】
前記ＴＶチューナ作動工程にて、前記ＴＶのチャネルデータより端末のＴＶチューナの受信局を設定する受信局設定工程と、
前記受信局設定工程にて設定した受信局のＴＶデータを受信するＴＶデータ受信工程とを有することを特徴とする請求項１に記載の無線通信端末装置の音声出力方法。
【請求項３】
端末のキーに対応した受信局の割り当てがあって、
前記受信局設定工程は、所定のキーが操作され、前記割り当てによる受信局を設定することを特徴とする請求項２に記載の無線通信端末装置の音声出力方法。
【請求項４】
前記ＴＶデータ受信工程にて受信したＴＶデータより音声出力を行う音声出力工程を有しており、
ＴＶ画像はＴＶにて表示を行い、前記音声出力工程による音声のみを端末上に出力することを特徴とする請求項２または３に記載の無線通信端末装置の音声出力方法。
【請求項５】
ＴＶチューナを内蔵しており、端末上からＴＶ放送を視聴することが可能であり、かつ赤外線通信機能を内蔵し、通常のＴＶリモコンの代替として端末よりＴＶをリモコン操作可能な無線通信端末装置の音声出力方法であって、
端末をＴＶリモコンとして使用していた際に、ＴＶの電源ＯＦＦのデータを赤外線送信してＴＶの電源をＯＦＦにするＴＶ電源ＯＦＦ工程と、
前記ＴＶ電源ＯＦＦ工程に連動して、ＴＶチューナを作動するＴＶチューナ作動工程とを有することを特徴とする無線通信端末装置の音声出力方法。
【請求項６】
前記ＴＶ電源ＯＦＦ工程にて、ＴＶのチャネルデータを読み出しがあって、
前記ＴＶチューナ作動工程にて、前記ＴＶのチャネルデータより端末のＴＶチューナの受信局を設定する受信局設定工程と、
前記受信局設定工程にて設定した受信局のＴＶデータを受信するＴＶデータ受信工程とを有することを特徴とする請求項５に記載の無線通信端末装置の音声出力方法。
【請求項７】
端末のキーに対応した受信局の割り当てがあって、
前記受信局設定工程は、所定のキーが操作され、前記割り当てによる受信局を設定することを特徴とする請求項６に記載の無線通信端末装置の音声出力方法。
【請求項８】
前記ＴＶデータ受信工程にて受信したＴＶデータよりＴＶ画像出力を行う画像出力工程および音声出力を行う音声出力工程を有しており、
前記画像出力工程によるＴＶ画像出力および前記音声出力工程による音声出力を端末上にて行うことを特徴とする請求項６または７に記載の無線通信端末装置の音声出力方法。
【発明の詳細な説明】
【技術分野】
【０００１】
本発明は、ＴＶと別媒体の装置より音声出力を行う無線通信端末装置の音声出力方法に関する。
【背景技術】
【０００２】
従来の家庭用ＴＶにおいて、音声のみを外部出力せずにイヤホン等で聴く場合、必然的に有線であるイヤホンケーブルを使用しての視聴になってしまうため、結果として視聴者とＴＶとの距離が限定されてしまうことになる。近年の家庭用ＴＶについては大画面化が進んでいるため、このように視聴距離が限定されてしまうと目に悪影響を及ぼすなどの弊害が生じてくる。
【０００３】
また、前述のような弊害を考慮した上で、ワイヤレスのイヤホンなども市場に存在しているが、やはり通常イヤホンと比較して高価なものとなり、システムとしても複雑なものになってしまうため、一般には使用者が限定されてしまうという状況であった。
【０００４】
さらに、近年は家庭用のＴＶリモコン機能として使用できる携帯端末も見受けられるが、少なくとも従来のリモコン装置としてのみの機能しか有しておらず、ＴＶ視聴をイヤホンを使用して行う場合は、結果として市販のイヤホン及び携帯端末でのリモコンで個別に使用しなけらばならないという煩わしさがあった。
【０００５】
特許文献１に記載の公知文献では、カード接続可能な携帯端末において、カード側にチューナを内蔵させることにより、ＴＶ、ＦＭ、ＡＭ、有線などの電波信号を受信可能にする半導体メモリ装置に関する技術を採り上げており、携帯端末のメモリとしてのみ使用していたカードの使用方法として、アンテナ及びチューナを内蔵させることで各電波を受信させることにより、端末側にて表示及び音声出力させることを特徴としているが、表示を端末側で行う以上、先述した視聴距離限定の問題を解消するに至らない。
【０００６】
特許文献２に記載の公知文献では、ＰＨＳ内蔵のＳＴＢをＴＶに接続し、ＰＨＳを介してインターネット上のＥＰＧサーバーから番組案内情報を取得し、ＴＶ画面上に表示する。そして使用者は付属のリモコンを操作して、ＴＶ画面上に表示されている番組情報から受信もしくは録画等を行いたい番組を選択することでＴＶまたはＶＴＲを自動操作することを可能にする放送番組案内装置に関する技術を採り上げているが、イヤホンとしての機能に関する記述はしておらず、結果として先述した市販のイヤホン及び携帯端末でのリモコンで個別に使用しなけらばならないという煩わしさを解消するには至らない。
【０００７】
特許文献３に記載の公知文献では、外部（インターネット上のデータセンター等）から配信されている映像情報／音声情報を携帯電話を介して取得し、取得したデータをＴＶデータに変換することにより、ＴＶ画面上に表示する携帯電話／インターフェース装置に関する技術を採り上げており、ＰＣ上でしか視聴できないＷＥＢ上の映像／音声情報をＰＣに限らずＴＶと接続して出力することを特徴とするが、特許文献２と同様、イヤホンとしての機能に関する記述はしておらず、結果として先述した市販のイヤホン及び携帯端末でのリモコンで個別に使用しなけらばならないという煩わしさを解消するには至らない。
【０００８】
従って、特許文献１〜３に記載の技術を組み合わせても、視聴距離限定の問題およびイヤホンに関する煩わしさを解消することはできない。
【特許文献１】特開２００１−１４４６３４号公報
【特許文献２】特開２００１−２１８１８８号公報
【特許文献３】特開２００１−２５１４４９号公報
【発明の開示】
【発明が解決しようとする課題】
【０００９】
本発明では上記不都合を解消するために、無線通信端末装置を通常のＴＶリモコンとして使用したときに、音声だけを無線通信端末装置から出力することを可能とする無線通信端末装置の音声出力方法を提供することを目的とする。
【課題を解決するための手段】
【００１０】
＜特徴＞
上記課題を解決するために本発明の特徴として、携帯電話端末やＰＨＳ端末など、使用者が移動を行いつつも第２者との間で通話を行うことができる無線端末装置（以下端末と称する）において、かつＴＶチューナを搭載しており、ＴＶ放送局からのデータを受信することによってＴＶを視聴することが可能で、さらに赤外線送信部を有しており、従来のＴＶリモコン装置の代替として家庭用ＴＶのチャネル操作、音量操作などの設定についての遠隔操作が可能な機能（以下ＴＶリモコン機能と称する）を有する端末について、使用者側で本端末が有する赤外線通信機能端末を使用してＴＶのチャネル操作を行った際に、ＴＶ側の音声出力を停止して端末側のレシーバ側から該当チャネルの音声を出力させることにより、簡易的にワイヤレスイヤホンを実現する。
【００１１】
上記特徴を達成するために、請求項１に記載の発明は、ＴＶチューナを内蔵しており、端末上からＴＶ放送を視聴することが可能であり、かつ赤外線通信機能を内蔵し、通常のＴＶリモコンの代替として端末よりＴＶをリモコン操作可能な無線通信端末装置の音声出力方法であって、端末をＴＶリモコンとして使用していた際に、ＴＶのチャネルデータを赤外線送信してＴＶの切替えを行うチャネル切替え工程と、前記チャネル切替え工程に連動して、ＴＶチューナを作動するＴＶチューナ作動工程とを有することを特徴とする。
【００１２】
請求項２に記載の発明は、請求項１に記載の無線通信端末装置の音声出力方法において、前記ＴＶチューナ作動工程にて、前記ＴＶのチャネルデータより端末のＴＶチューナの受信局を設定する受信局設定工程と、前記受信局設定工程にて設定した受信局のＴＶデータを受信するＴＶデータ受信工程とを有することを特徴とする。
【００１３】
請求項３に記載の発明は、請求項２に記載の無線通信端末装置の音声出力方法において、端末のキーに対応した受信局の割り当てがあって、前記受信局設定工程は、所定のキーが操作され、前記割り当てによる受信局を設定することを特徴とする。
【００１４】
請求項４に記載の発明は、請求項２または３に記載の無線通信端末装置の音声出力方法において、前記ＴＶデータ受信工程にて受信したＴＶデータより音声出力を行う音声出力工程を有しており、ＴＶ画像はＴＶにて表示を行い、前記音声出力工程による音声のみを端末上に出力することを特徴とする。
【００１５】
請求項５に記載の発明は、ＴＶチューナを内蔵しており、端末上からＴＶ放送を視聴することが可能であり、かつ赤外線通信機能を内蔵し、通常のＴＶリモコンの代替として端末よりＴＶをリモコン操作可能な無線通信端末装置の音声出力方法であって、端末をＴＶリモコンとして使用していた際に、ＴＶの電源ＯＦＦのデータを赤外線送信してＴＶの電源をＯＦＦにするＴＶ電源ＯＦＦ工程と、前記ＴＶ電源ＯＦＦ工程に連動して、ＴＶチューナを作動するＴＶチューナ作動工程とを有することを特徴とする。
【００１６】
請求項６に記載の発明は、請求項５に記載の無線通信端末装置の音声出力方法において、前記ＴＶ電源ＯＦＦ工程にて、ＴＶのチャネルデータを読み出しがあって、前記ＴＶチューナ作動工程にて、前記ＴＶのチャネルデータより端末のＴＶチューナの受信局を設定する受信局設定工程と、前記受信局設定工程にて設定した受信局のＴＶデータを受信するＴＶデータ受信工程とを有することを特徴とする。
【００１７】
請求項７に記載の発明は、請求項６に記載の無線通信端末装置の音声出力方法において、端末のキーに対応した受信局の割り当てがあって、前記受信局設定工程は、所定のキーが操作され、前記割り当てによる受信局を設定することを特徴とする。
【００１８】
請求項８に記載の発明は、請求項６または７に記載の無線通信端末装置の音声出力方法において、前記ＴＶデータ受信工程にて受信したＴＶデータよりＴＶ画像出力を行う画像出力工程および音声出力を行う音声出力工程を有しており、前記画像出力工程によるＴＶ画像出力および前記音声出力工程による音声出力を端末上にて行うことを特徴とする。
【発明の効果】
【００１９】
本発明によれば、ＴＶ画像と音声を別媒体から出力することにより簡易に擬似的なワイヤレスイヤホンを実現できる。その理由は、ＴＶ画像をＴＶ側から、ＴＶ音声を端末側から出力することで、使用者がＴＶとの距離が離れていた場合でも距離に関係なく音声を同時に視聴することが可能であるからである。
【００２０】
さらに、実際に市販されているようなワイヤレスイヤホン自体は普通のイヤホンと比較して高価であり、システムも複雑になるため、使用することができるのは一部のユーザに限られてしまうが、本発明では、通常のＴＶ機能付き携帯端末を利用しているため、簡易的なワイヤレスイヤホンが実現可能になっている。
【００２１】
また、レシーバなどの音声出力手段から音声出力されるため、使用者は端末を耳に当てることで音声を聴くことになり、例えばＴＶとの距離が離れているからといってＴＶの音量を上げたりして周囲に迷惑をかけたり、大画面にも関わらずＴＶの至近距離で視聴するといった煩わしさも軽減されることになる。
【００２２】
また、本発明では赤外線通信によるＴＶリモコン機能に連動しており、使用者がチャネルを切替えるリモコン操作を行えば、ＴＶ画面の切替えと同時に音声の出力も該当チャネルに切替えを行うため、使用者による繁雑な操作が不要となる。
【００２３】
また、上記の音声出力方法はチャネルの切替え操作だけでなく、ＴＶの電源をＯＦＦする操作に関しても基本的には同様の処理で実現でき、使用者による繁雑な操作が不要となる。
【発明を実施するための最良の形態】
【００２４】
以下、本発明の実施の形態のうち最良のものを図面を参照して詳細に説明するが、本発明の実施形態は、これに限定されるものではなく、本発明の要旨を逸脱しない範囲において種々変形して実施することが可能である。
【００２５】
＜無線通信端末装置の構成＞
本実施形態の構成を図１に示す。図１において本実施形態に係る無線通信端末装置は、網より送信される信号を受信、もしくは相手側に網を介して送信するためのアンテナ部（１０１）と、アンテナより受信した信号を復調、もしくは送信するためのデータを網を介して相手側に送信するべく変調するための無線部（１０２）及び二者間で通話を行うための音声入出力部（１０７）及び受話用のレシーバデバイス（１０９）、送話用のマイクデバイス（１０８）と、使用者が端末をＴＶリモコンとして使用した際に、押下したキーの情報を赤外線送信するべく送信データを作成するための赤外線リモコン送信部（１１０）及び、赤外線通信する為の発光部（１１１）、ＴＶ放送局から送信されている情報を受信する為のＴＶアンテナ部（１１２）、受信チャネルを設定することでアンテナ部にて該当ＴＶ放送を受信する為のＴＶチューナ部（１１４）、アンテナ部にて受信したＴＶ画像データ及び音声データをデジタルデータに変換し、制御部とデータのやり取りを行うデコーダ部（１１３）、ＣＰＵを含み、信号の送受信の制御及び、使用者の操作や表示などのシステム全体を制御する制御部（１０３）、端末を制御するためのプログラムやＴＶのチャネル情報などのデータを格納しておく為のメモリ部（１０４）、データ表示や受信したＴＶ画像表示を行うための表示部（１０５）、使用者の操作を制御するためのマンマシンインターフェース部（１０６）から構成されている。
【００２６】
＜無線通信端末装置の第１の動作＞
本実施形態の第１の動作について、フローチャートを用いて図２に示す。図２は端末が待機状態（以下「待ち受け」と呼称）からＴＶリモコンとしての機能に遷移した場合のフローチャートである。
【００２７】
まず、待ち受け状態（２０１）から、使用者が端末をＴＶリモコンとして使用するべく、メニュー画面から手動で選択するなどの操作を行うことによりＴＶリモコンモードに移行する（２０２）。このとき、通常のＴＶリモコンとして使用するか、もしくはＴＶの音声出力のみを端末側で行うイヤホンモードで使用するかを選択する（２０３）。ここでの選択動作は使用者に決定させるものであり、端末側で自動的に決定するものではない。
【００２８】
使用者が通常のＴＶリモコンを選択した場合は通常リモコンモード（２１２）に移行し、正規のＴＶリモコン装置の代替として使用することになる。通常リモコンモードの場合は端末側のキーを押下することによって赤外線の発光部より該当するデータを送信し、チャネル切り替えや音量設定などの送信を従来のリモコン装置同様に行うことが可能であり、ＴＶ画像及び音声はＴＶ側から出力される。
【００２９】
使用者がイヤホンモードを選択した場合、ＴＶ音声は端末側から出力されることになる。まず端末よりＴＶに対して消音させるための信号（ミュート信号）を赤外線データにて送信し、ＴＶの音声出力を停止させる（２０４）。その後、使用者により端末に割り当てられたチャネルのキーを押下された場合（２０４／２０５）、通常リモコンモードと同様にチャネルデータを送信することによってＴＶ側を該当チャネルに切替える（２０６）。同時に、端末側ではＴＶ放送を受信する為にＴＶチューナ部１１４をＯＮし（２０８）、押下されたチャネルキーに該当する受信局にチャネルを設定（２０９）することによってＴＶデータを受信する（２１０）。更に端末のレシーバ部１０９をＯＮし（２０７）、受信したＴＶ音声をレシーバ部１０９より出力させる（２１１）が、ＴＶ画像表示自体はＴＶ側で行っている状態のため、端末側ではＴＶ画像表示は行わないものとする。
【００３０】
使用者が通常リモコンモードないしイヤホンモードから抜けたい旨の操作等を行った場合、通常の待ち受け状態に移行する（２１３）。
【実施例】
【００３１】
次に、本実施形態の実施例について、図３及び図４を用いて説明を行う。
【００３２】
図３は、端末のキーに対応したＴＶ受信局の割り当てテーブル例である。まず、実際の家庭用ＴＶ−リモコン装置間の赤外線データ送信の仕組みであるが、ＴＶは「１」〜「１２」のチャネルを持ち（チャネル総数は一例）、使用者が「１」〜「１２」の各チャネルにＴＶ放送局のチャネルを割り当てることによってＴＶ受信が可能になる。リモコン自体は「１」〜「１２」のチャネル番号を赤外線送信することで、ＴＶ側が送信されたチャネルに割り当てられた受信局に切替え、ＴＶ放送を行うことになる。
【００３３】
本実施形態では、端末からＴＶ側にチャネルデータを送信すると同時に端末側ＴＶチューナを該当局に設定することで受信音声を出力するというものであるので、端末側のどのキーがどの放送局に割り当てられるかという情報をあらかじめ使用者によって設定しておく必要がある。この割り当ての情報の格納例を示したものが図３であり、端末側の各キーが押下された際にどの放送局を受信するかをテーブルとしてメモリ部１０４に格納するものとする。
【００３４】
本設定を行うことでＴＶ画像表示をＴＶ側にて行い、同時にＴＶ音声を端末側で出力させることが可能になる。
【００３５】
図４は本実施形態の実施例の概略図である。端末よりＴＶチャネル設定をするべく、使用者のキー押下にてチャネルデータの赤外線通信を行う。チャネルデータを受信したＴＶ側では対応するチャネルに切替えることによって、ＴＶ画像の表示を行う（この時、端末側より事前に消音（ミュート）信号が送信されている為、音声は出力していない）。端末側では、内蔵のＴＶチューナ部１１４を該当するチャネルに設定しＴＶ放送データを受信する。この時、端末側では画像表示は行わず、音声だけをレシーバ側１０９より出力させる。使用者としては、ＴＶ画像はＴＶ画面で確認しつつ、音声は端末のレシーバ側１０９で聞くことにより、簡易的なイヤホンを実現できていることになる。
【００３６】
尚、本実施形態ではＭＵＴＥ信号を送出することによってＴＶ側の音声出力を停止しているが、機能として必ずしも送出する必要はなく、ＴＶ側かつレシーバ側１０９との両方から音声出力してよいものとする。また、ＴＶの音声をレシーバ１０９からの出力のみに限定してしまっているが、場合によってはスピーカ側から出力しても良い。
【００３７】
＜無線通信端末装置の第２の動作＞
本実施形態の第２の動作について、図５の動作フローチャートを用いて説明を行う。図３及び図４で記述した本実施形態の第１の動作に関しては端末のキーを押下することでＴＶのチャネルを切替えると同時に端末側のＴＶチューナ部１１４も同一チャネルに設定することで、ＴＶ音声をレシーバ側１０９から出力するものであるが、本実施形態の第２の動作では、ＴＶの電源ＯＮ／ＯＦＦに該当するキーを押下した時の動作である。
【００３８】
まず待ち受け状態（５０１）から使用者の手動操作によってＴＶリモコンモードに移行し（５０２）、使用者のキー操作入力待ちに入る（５０３）。この状態で、キーが押下された場合に、押下されたキーがＴＶのチャネルを設定するキーであるのか、電源ＯＮ／ＯＦＦに該当するキーであるのかの判定を行う（５０４）。
【００３９】
チャネルのキーであった場合、この時押下されたキーのチャネルのデータを履歴としてメモリ部１０４に格納（５０５）しておき、通常のリモコン装置同様に、押下されたキーに割り当てられたチャネルのデータを赤外線送信する（５０６）ことによってＴＶ側のチャネル切り替えを行う。上記の場合は、端末を通常のＴＶリモコン装置として使用しているため、音声及び画像表示はＴＶ側で行っている。
【００４０】
また、押下されたキーが電源ＯＮ／ＯＦＦに該当するキーであった場合は、ＴＶ側をＯＦＦすることになり、ＴＶの画像及び音声出力は停止されるため、画像及び音声出力を端末側に切替えを行う。動作として、電源に該当するキーを押下すると、電源ＯＦＦのデータがＴＶに赤外線送信され、ＴＶ側は電源ＯＦＦする。端末側では、（５０５）で格納した直前のチャネルデータを取得することで、ＴＶをＯＦＦする直前のチャネルを認識することができ（５０７）、ＴＶチューナ部１１４をＯＮし（５０８）、チューナ部１１４を該当チャネルに設定することで受信局の設定を行い（５０９）ＴＶデータの受信をする（５１０）。ＴＶデータの受信状態で、端末側の表示部１０５にＴＶ画像の出力を行い、また、音声出力も同時に行う（５１１）。
【００４１】
また、終了動作として、リモコンとして使用していた場合に使用者による終了操作が行われた場合、リモコンモードを終了して待受けに移行する（５１３）。
【００４２】
画像及び音声出力を端末側に切替えた状態で終了操作を行った場合は再度リモコンモードに復帰し、ＴＶのチャネル操作に移行する（５１２）。
【００４３】
この第２の動作において、ＴＶの切替えと、ＴＶチューナ部１１４の連動に関しては、基本的には第１の動作と同様であり、従ってＴＶの電源をＯＦＦする操作に関しても音声出力は同様の処理で実現でき、使用者による繁雑な操作が不要となる。
【図面の簡単な説明】
【００４４】
【図１】本実施形態に係る無線通信端末装置の構成ブロック図である。
【図２】本実施形態に係る無線通信端末装置の第１の動作を表すフローチャートである。
【図３】本実施形態の実施例に関し、端末のキーに対応したＴＶ受信局の割り当てテーブル例である。
【図４】本実施形態の実施例の概略図である。
【図５】本実施形態に係る無線通信端末装置の第２の動作を表すフローチャートである。
【符号の説明】
【００４５】
１０１    アンテナ部
１０２    無線部
１０３    制御部
１０４    メモリ部
１０５    表示部
１０６    マンマシンインターフェース部
１０７    音声入出力部
１０８    マイク
１０９    レシーバ
１１０    赤外線リモコンデータ送信部
１１１    発光部
１１２    ＴＶアンテナ部
１１３    デコーダ部
１１４    ＴＶチューナ部
【図１】
2005080022.tif 000003
【図２】
2005080022.tif 000004
【図３】
2005080022.tif 000005
【図４】
2005080022.tif 000006
【図５】
2005080022.tif 000007